(57)【要約】  【課題】  巻胴と環状側板との接着強度不足による破損を防止する。  【解決手段】  巻胴１の取付部１ａと環状側板２の孔縁部２ａとを重ね合わせ、これら巻胴１の取付部１ａ及び環状側板２の孔縁部２ａのどちらか一方を他方の間に挟み込むように接着することにより、巻胴１の取付部１ａと環状側板２の孔縁部２ａとの接着面積が増大して接着材でも十分な接合強度が得られる。  【選択図】    図１
2009102151.tif 000002
【特許請求の範囲】
【請求項１】
長尺物が捲回される巻胴（１）と、一対の環状側板（２）とからなり、上記巻胴（１）の両端に形成される取付部（１ａ）と環状側板（２）の孔縁部（２ａ）を取り付けて一体化される長尺物用リールにおいて、
前記巻胴（１）の取付部（１ａ）と環状側板（２）の孔縁部（２ａ）とを重ね合わせ、これら巻胴（１）の取付部（１ａ）及び環状側板（２）の孔縁部（２ａ）のどちらか一方を他方の間に挟み込むように接着したことを特徴とする長尺物用リール。
【請求項２】
前記巻胴（１）の取付部（１ａ）を、前記環状側板（２）の孔縁部（２ａ）の巻胴側内面（２ｂ）又は外面（２ｃ）に沿って折り曲げ、この取付部（１ａ）を挟んで各環状側板（２）の内側又は外側に補助側板（３）を夫々配置し、これら環状側板（２）と補助側板（３）との間に該巻胴（１）の取付部（１ａ）を挟み込むように接着した請求項１記載の長尺物用リール。
【請求項３】
前記環状側板（２）と前記補助側板（３）を連続して形成し、これらを折り返し重ね合わせて、その間に巻胴（１）の取付部（１ａ）を挟み込むように接着した請求項２記載の長尺物用リール。
【発明の詳細な説明】
【技術分野】
【０００１】
本発明は、例えばホースや線材などの可撓性を有する長尺物を巻き付けるために用いる長尺物用リールに関する。
詳しくは、長尺物が捲回される巻胴と、一対の環状側板とからなり、上記巻胴の両端に形成される取付部と環状側板の孔縁部を取り付けて一体化される長尺物用リールに関する。
【背景技術】
【０００２】
従来、この種の長尺物用リールとして、厚紙等の平面材をガイド部材に巻付ける等して巻胴が円筒形に曲げ成形され、この巻胴の両側端部に、その軸線に直交する方向へ切起こされた放射多片状のフランジ形の取付け片を設け、更に側板が厚紙等の平面材を切抜き加工等してドーナツ形に形成され、上記巻胴の取付け片の外側面に接着材を塗布して、各側板の内側面に接着することにより、各側板が巻胴の両側端部に巻胴の軸線に直交するように夫々取付けられるものがある（例えば、特許文献１参照）。
また、段ボール紙で形成される中芯の両側胴放端部に、両側板止着用の耳片が切り込まれ形成されて円周方向に多数具備され、両側板は該中芯の筒径と同径とする通孔がその中心部を中心に開設したドーナツ形に形成され、上記中芯に対する両側板の取付けは、中芯の両側開放端部に切り込まれた耳片を両側板の通孔より外部に突出させ、その突出させた各耳片を通孔の開口外面に折り曲げ付設せしめて止着することにより、両側板を中芯の両側開放端部に具備せしめるものもある（例えば、特許文献２参照）。
【０００３】
【特許文献１】実開平５−４２２６６号公報（第４−５頁、図１）
【特許文献２】実開平１−１６２４６９号公報（第６−７頁、第１，２図）
【発明の開示】
【発明が解決しようとする課題】
【０００４】
しかし乍ら、このような従来の長尺物用リールでは、巻胴の両端に形成された取付け片や耳片などの取付部と側板の孔縁部とを接着材で接着固定しただけであるため、これらの接着強度が弱く破損する虞があった。
そこで、ステッチャー（ステープラー）などを用い、巻胴の取付部と側板の孔縁部に亘り針金（ステープル）を打ち込むことで、両者間の接合強度を上げて壊れ難くしていた。
しかし、この場合には、紙製の長尺物用リールを廃棄する際に、地域によって紙と針金（ステープル）を分別して廃棄する必要があり、その手間が面倒であるという問題がある。
更に、特許文献２では、巻胴（中芯）の端縁に形成された耳片を、側板の孔縁外面に沿って折り曲げるため、巻胴の端縁の耳片が側板から外側へ突出して配置され、長尺物用リールを段積みする際に、隣り合う長尺物用リールの耳片同士が接触して引っ掛かるだけでなく、輸送中に様々な物に引っ掛かって剥がれ破損するなどのトラブルが発生し易いという問題があった。
また、各側板が１枚の厚紙や段ボール紙で構成されるため、その強度が弱くて、保管や輸送中に各側板が変形し易く、側板が変形すると商品価値が下がるだけでなく、例えばホース什器などに対する取り付けが困難などのトラブルが発生し易いという問題もあった。
【０００５】
本発明のうち第一の発明は、巻胴と環状側板との接着強度不足による破損を防止することを目的としたものである。
第二の発明は、第一の発明の目的に加えて、巻胴の取付部の接触による破損を防止することを目的としたものである。
第三の発明は、第二の発明の目的に加えて、環状側板及び補助側板の強度を更に向上させることを目的としたものである。
【課題を解決するための手段】
【０００６】
前述した目的を達成するために、本発明のうち第一の発明は、巻胴の取付部と環状側板の孔縁部とを重ね合わせ、これら巻胴の取付部及び環状側板の孔縁部のどちらか一方を他方の間に挟み込むように接着したことを特徴とするものである。
第二の発明は、第一の発明の構成に、前記巻胴の取付部を、前記環状側板の孔縁部の巻胴側内面又は外面に沿って折り曲げ、この取付部を挟んで各環状側板の内側又は外側に補助側板を夫々配置し、これら環状側板と補助側板との間に該巻胴の取付部を挟み込むように接着した構成を加えたことを特徴とする。
第三の発明は、第二の発明の構成に、前記環状側板と前記補助側板を連続して形成し、これらを折り返し重ね合わせて、その間に巻胴の取付部を挟み込むように接着した構成を加えたことを特徴とする。
【発明の効果】
【０００７】
本発明のうち第一の発明は、巻胴の取付部と環状側板の孔縁部とを重ね合わせ、これら巻胴の取付部及び環状側板の孔縁部のどちらか一方を他方の間に挟み込むように接着することにより、巻胴の取付部と環状側板の孔縁部との接着面積が増大して接着材でも十分な接合強度が得られる。
従って、巻胴と環状側板との接着強度不足による破損を防止することができる。
その結果、接着強度の不足をステッチャー（ステープラー）による針金（ステープル）の打ち込みで補強する必要がないため、紙製の長尺物用リールを廃棄する際には、針金（ステープル）を分別する必要なくなって廃棄し易くなる。
【０００８】
第二の発明は、第一の発明の効果に加えて、巻胴の取付部を、環状側板の孔縁部の巻胴側内面又は外面に沿って折り曲げ、この取付部を挟んで各環状側板の内側又は外側に補助側板を夫々配置し、これら環状側板と補助側板との間に該巻胴の取付部を挟み込むように接着することにより、巻胴の取付部のみが環状側板の孔縁部の外面に沿って突出することはない。
従って、巻胴の取付部の接触による破損を防止することができる。
その結果、巻胴の両端縁の耳片が側板から外側へ突出して配置される従来のものに比べ、長尺物用リールを段積みする際や輸送中に取付部が引っ掛かることで発生するトラブルを未然に防ぐことができて、安定使用できる。
【０００９】
第三の発明は、第二の発明の効果に加えて、環状側板と補助側板を連続して形成し、これらを折り返し重ね合わせて、その間に巻胴の取付部を挟み込むように接着することにより、環状側板及び補助側板が例えば段ボールや厚紙などの紙製である場合には、これら環状側板と補助側板との中芯方向又は紙目方向が交差する。
従って、環状側板及び補助側板の強度を更に向上させることができる。
その結果、側板が１枚の厚紙や段ボール紙からなる従来のものに比べ、保管や輸送中に側板が変形し難くなって、側板の変形による商品価値の低下を防止できると共に、什器などに対する取り付けも容易になって、使用勝手が向上する。
【発明を実施するための最良の形態】
【００１０】
本発明の長尺物用リールＡの実施形態は、例えばホースや線材などの可撓性を有する長尺物（図示せず）が捲回される円筒形の巻胴１と、その両端開口側に配置される一対の環状側板２とからなり、これら巻胴１及び環状側板２を例えば段ボール紙や厚紙など紙類又は合成樹脂などで形成すると共に、上記巻胴１の軸方向両端に夫々形成される取付部１ａと環状側板２の孔縁部２ａとを夫々重ね合わせ、これら巻胴１の取付部１ａ及び環状側板２の孔縁部２ａのどちらか一方を他方の間に挟み込むように、例えば接着剤や粘着テープなどの接着手段（図示せず）により接着している。
【００１１】
詳しく説明すれば、上記巻胴１の取付部１ａ及び環状側板２の孔縁部２ａのどちらか一方を複数設けて、その間に他方を挟み込むように接着する。
即ち、上記巻胴１の取付部１ａを挟み込む場合には、環状側板２を一対ずつ設けるか、又は該環状側板２とそれに類似する形状の補助側板３が一対ずつ設けられる。
また、各環状側板２の孔縁部２ａを挟み込む場合には、巻胴１の取付部１ａを一対ずつ設けるか、又は該取付部１ａとそれに類似する形状の板状体を巻胴１に夫々連設する。
【００１２】
上記巻胴１の取付部１ａを挟み込む場合の具体例としては、該巻胴１の取付部１ａを各環状側板２の孔縁部２ａの巻胴側内面２ｂ又は外面２ｃに夫々沿わせ、それを挟み込むように各環状側板２の内側又は外側に、もう一組の環状側板として補助側板３が夫々二つずつ設けられ、これら環状側板２と補助側板３との間に該取付部１ａを夫々配置して接着手段により接着固定する。
【００１３】
そして、上記補助側板３は、複数に分割して、この分割片３ａの隣り合う端部３ｂ同士を夫々着脱自在に係合する形状にすることが好ましく、更にこれら分割片３ａを環状側板２と部分的に連続するように形成し、各分割片３ａを夫々折り返して重ね合わせることにより、それら各分割片３ａと環状側板２の間に巻胴１の取付部１ａを挟み込むようにすることが好ましい。
【００１４】
また、各環状側板２の孔縁部２ａを挟み込む場合の具体例としては、巻胴１を二重でしかも互いに軸方向へ往復動自在に配置するなどして取付部１ａが夫々二つずつ形成され、これら巻胴１の取付部１ａの間に各環状側板２の孔縁部２ａを夫々配置して接着手段により接着固定する。
【００１５】
更に、上記巻胴１の取付部１ａとしては、その周方向へ適宜間隔毎に切り込んで多数の耳片１ｂを形成し、これら耳片１ｂを軸方向と直交する放射方向へ折り曲げてフランジ形にすることが好ましい。
以下、本発明の各実施例を図面に基づいて説明する。
【実施例１】
【００１６】
この実施例１は、図１（ａ）（ｂ）及び図２に示す如く、前記巻胴１及び環状側板２を段ボール紙や厚紙など紙類で形成すると共に、該巻胴１の取付部１ａとして夫々形成された各耳片１ｂを、各環状側板２の孔縁部２ａの巻胴側内面２ｂに沿って夫々折り曲げ、それを挟んで各環状側板２の内側に補助側板３を夫々設け、これら各環状側板２と補助側板３との間に上記取付部１ａの耳片１ｂを夫々配置して接着手段により接着固定したものである。
【００１７】
図示例では、上記補助側板３を周方向へ四分割して、この分割片３ａの隣り合う端部３ｂに凹部及び凸部を形成して該端部３ｂ同士が夫々着脱自在に嵌合するようにしている。
また、その他の例として、補助側板３を周方向へ二分割又は三分割若しくは五つ以上に分割することも可能であり、この分割片３ａの隣り合う端部３ｂを凹凸以外の形状で互いに係合せることも可能である。
【００１８】
更に、図１（ａ）（ｂ）に二点鎖線で示す如く、上記環状側板２と補助側板３とを、一枚の段ボール紙で一体形成してそれらの中芯が延びる中芯方向（紙目方向）４を所定方向へ揃えるか又は、一枚の厚紙で一体形成してそれらの紙目方向４を所定方向へ揃えている。
【００１９】
次に、斯かる長尺物用リールＡの組立方法及び作用効果について説明する。
先ず、図２に示す分解状態から、図１（ａ）に示す如く、上記巻胴１の取付部１ａとして夫々形成された耳片１ｂを、各環状側板２の孔縁部２ａの巻胴側内面２ｂに夫々重ね合わせ、それらの間に上記接着手段として例えばホットメルトなどの接着材を塗布して接着する。
【００２０】
これに続いて、図１（ｂ）に示す如く、上記補助側板３の分割片３ａを折り返し、夫々の隣り合う各端部３ｂ同士を嵌合して、上記巻胴１の取付部１ａの耳片１ｂに夫々重ね合わせ、それらの間を接着手段により夫々接着する。
【００２１】
それにより、該巻胴１の取付部１ａの耳片１ｂの内外両面が、各環状側板２の孔縁部２ａ及び補助側板３に接触して接着面積が増大するため、ホットメルトなどのような接着材でも十分な接合強度が得られる。
【００２２】
更に、上記巻胴１の取付部１ａの各耳片１ｂを、各環状側板２の孔縁部２ａの巻胴側内面２ｂに沿って夫々折り曲げ、それを挟んで各環状側板２の内側に補助側板３が接着固定されるため、該巻胴１の取付部１ａの各耳片１ｂのみが環状側板２の孔縁部２ａの外面２ｃに沿って突出することはない。
それにより、上記巻胴１の取付部１ａの各耳片１ｂが、長尺物用リールＡを段積みする際や輸送中に引っ掛かることで発生するトラブルも解消できるという利点がある。
【００２３】
また、上記環状側板２と補助側板３の分割片３ａを一枚の段ボール紙で一体形成してそれらの中芯（紙目）方向４を所定方向へ揃えるか又は、一枚の厚紙で一体形成してそれらの紙目方向４を所定方向へ揃え、これらを折り返し重ね合わせているため、環状側板２と補助側板３の分割片３ａとの中芯方向４又は紙目方向４が交差する。
それにより、これら環状側板２と補助側板３の強度が更に向上して変形し難くなるという利点がある。
【実施例２】
【００２４】
この実施例２は、図３（ａ）（ｂ）に示す如く、前記補助側板３を環状側板２と分離して形成すると共に周方向へ二分割し、これら分割片３ａが、巻胴１の取付部１ａの耳片１ｂを挟んで各環状側板２の孔縁部２ａの巻胴側内面２ｂ沿いに重ね合わされ、それらの間に上記接着手段として例えばホットメルトなどの接着材を塗布して接着する構成が、前記図１〜図２に示した実施例１とは異なり、それ以外の構成は図１〜図２に示した実施例１と同じものである。
【００２５】
図示例の場合には、各分割片３ａの隣り合う端部３ｂを直線状に切断して互いに突き合わせるようにしている。
また、その他の例として、図１〜図２に示した実施例１と同様に、各分割片３ａの隣り合う端部３ｂに凹部及び凸部を形成するなど、該端部３ｂ同士が夫々着脱自在に係合する形状にすることも可能である。
【００２６】
更に、上記補助側板３の各分割片３ａと環状側板２を、図３（ｂ）に示す組立後の完成状態で、夫々の紙目方向４又は中芯方向４が交差するように接着している。
【００２７】
従って、図３（ａ）（ｂ）に示す実施例２も、上述した実施例１とほぼ同様な作用効果が得られる。
【実施例３】
【００２８】
この実施例３は、図４（ａ）（ｂ）に示す如く、前記補助側板３を環状側板２と分離して、周方向へ分割せず該環状側板２と略同径の環状に形成し、これら環状の補助側板３が、巻胴１の取付部１ａの各耳片１ｂを挟んで各環状側板２の孔縁部２ａの巻胴側内面２ｂ沿いに重ね合わされ、それらの間に上記接着手段として例えばホットメルトなどの接着材を塗布して接着する構成が、前記図１〜図２に示した実施例１とは異なり、それ以外の構成は図１〜図２に示した実施例１と同じものである。
【００２９】
図示例の場合には、上記補助側板３と環状側板２を、図４（ｂ）に示す組立後の完成状態で、夫々の紙目方向４又は中芯方向４が交差するように接着している。
【００３０】
従って、図４（ａ）（ｂ）に示す実施例３も、上述した実施例１とほぼ同様な作用効果が得られる。
【００３１】
尚、前示実施例１〜３では、前記巻胴１の取付部１ａの各耳片１ｂを、各環状側板２の孔縁部２ａの巻胴側内面２ｂに沿って夫々折り曲げ、それを挟んで各環状側板２の内側に補助側板３を夫々配置し相互に接着固定したが、これに限定されず、巻胴１の取付部１ａを、各環状側板２の孔縁部２ａの外面２ｃに沿って夫々折り曲げ、それを挟んで各環状側板２の外側に補助側板３を夫々配置し相互に接着固定しても良い。
この場合には、前記巻胴１の取付部１ａが各環状側板２の孔縁部２ａの外面２ｃに沿って突出するものの、それが外側の補助側板３で覆われて露出しないため、該巻胴１の取付部１ａに例えばホースなどの長尺物が捲回された際に凹み跡が付かず、しかも長尺物用リールＡを段積みする際や輸送中に取付部１ａが引っ掛かることで発生するトラブルも解消できるという利点がある
【００３２】
また図示せぬが、各環状側板２の孔縁部２ａが夫々挟み込まれるように巻胴１を二重でしかも互いに軸方向へ往復動自在に配置し、これら巻胴１の取付部１ａの間に各環状側板２の孔縁部２ａを夫々配置して接着手段により接着固定しても良い。
【図面の簡単な説明】
【００３３】
【図１】本発明の長尺物用リールの一実施例を示す斜視図であり、（ａ）が組立途中の状態を示しており、（ｂ）が組立後の状態を示している。
【図２】組立前の状態を示す分解斜視図である。
【図３】本発明の長尺物用リールの他の実施例を示す斜視図であり、（ａ）が組立前の状態を示しており、（ｂ）が組立後の状態を示している。
【図４】本発明の長尺物用リールの他の実施例を示す斜視図であり、（ａ）が組立前の状態を示しており、（ｂ）が組立後の状態を示している。
【符号の説明】
【００３４】
Ａ  長尺物用リール                    １  巻胴
１ａ  取付部                          １ｂ  耳片
２  環状側板                          ２ａ  孔縁部
２ｂ  巻胴側内面                      ２ｃ  外面
３  補助側板                          ３ａ  分割片
３ｂ  隣り合う端部                    ４  紙目方向（中芯の方向）
【図１】
2009102151.tif 000003
【図２】
2009102151.tif 000004
【図３】
2009102151.tif 000005
【図４】
2009102151.tif 000006